(57)【要約】【課題】  隣合う両壁部にそれぞれ配設されるとともに互いに隣接する位置関係にある配管カバー同士を両壁部間の角部で接続することができる配管カバーの継手において、見栄えを損ないにくいようにすることができる。【解決手段】  継手を、隣接する両壁部の一方の内壁面に固定される第１部材４１と、他方の内壁面に固定される第２部材４２とから構成する。第１部材４１を、内壁面に固定される第１取付部材４３と、第１取付部材４３に止着されるとともに第１取付部材４３を外部から覆い隠す第１覆い体４４とにより構成する。第２部材４２を、内壁面に固定される第２取付部材４５と、第２取付部材４５に止着されるとともに第２取付部材４５を外部から覆い隠す第２覆い体４６とにより構成する。【選択図】      図３
2006207782.tif 000002
【特許請求の範囲】
【請求項１】
壁部の壁面に固定される平板状の第１取付部材と、断面がＵ字状に形成されるとともに同第１取付部材を覆い隠すように同第１取付部材に止着される第１覆い体とからなる第１部材と、
前記壁部と隣接する壁部の壁面に固定される平板状の第２取付部材と、断面がＵ字状に形成されるとともに同第２取付部材を覆い隠すように同第２取付部材に止着される第２覆い体とからなる第２部材とを備え、
前記第１部材には、前記第１取付部材と前記第１覆い体とにより配管を挿通させるとともに一端を閉塞した通路を形成し、配管を同通路に挿通させる開口部を同第１覆い体の頂部に設け、
前記第２部材には、前記第２取付部材と前記第２覆い体とにより配管を挿通させる通路を形成し、
前記第２部材を前記開口部の位置に止着させるとともに前記第１部材の通路と第２部材の通路とを同開口部を介して連通させたことを特徴とする配管カバーの継手。
【請求項２】
前記第１取付部材の両側には第１係止部をそれぞれ設け、前記第１覆い体の両側内面には、前記第１係止部に係合する第１係合部をそれぞれ設け、前記第１係止部と第１係合部との係合により前記第１覆い体の両側部の拡開を抑制するように構成し、
前記第２取付部材の両側には第２係止部をそれぞれ設け、前記第２覆い体の両側内面には、前記第２係止部に係合する第２係合部をそれぞれ設け、前記第２係止部と第２係合部との係合により前記第２覆い体の両側部の拡開を抑制するように構成したことを特徴とする請求項１に記載の配管カバーの継手。
【請求項３】
前記第１覆い体には、前記通路の開口端と前記開口部とを連絡する切欠き部を設けるとともに、この切欠き部に着脱される着脱部材を設けたことを特徴とする請求項１又は請求項２に記載の配管カバーの継手。
【発明の詳細な説明】
【技術分野】
【０００１】
この発明は、例えば家庭用空調機の室外機と室内機との間に延長配置される冷媒管等の配管を覆うための配管カバーの継手に関するものである。
【背景技術】
【０００２】
一般に、住宅家屋等において家庭用空調機を設置する場合には、家屋の壁部の外側に室外機を配置するとともに、壁部の内側に室内機を取り付け、室外機と室内機との間を可撓性を有する冷媒用配管により連結している。冷媒用配管は、家屋の壁部に形成した貫通孔に挿通されるとともに、壁部の外壁面に沿って延長配置される。また、室内機から延びるドレーン用配管や換気用配管は、冷媒用配管とともに貫通孔から室外に導出されている。
【０００３】
この場合、冷媒用配管やドレーン用配管等の配管を保護するため、あるいは家屋外観や景観を損なわないようにするために、配管カバーにより、前記各配管の外壁面に沿った延長部分や、壁部の貫通孔及びその貫通孔に対する各配管の挿通部分が覆われるようになっている。また、壁部の貫通孔から離れた位置に室内機を設置した場合には、壁部の内壁面においても配管が延長配置される。このような場合には、壁部の内壁面にも配管カバーが用いられる。
【０００４】
例えば室内において、隣り合う両壁部間に配管を延長配置したときは、一方の壁部の内壁面に取り付けた配管カバーと、他方の壁部の内壁面に取り付けた配管カバーとを、両壁部の角部で繋ぐための継手を用いる必要がある。また、配管カバーは、通常その断面が長方形又はかまぼこ型とされている。すなわち、配管カバーは、壁部の内壁面に対する取付方向が決まっている。従って、互いに隣接する両壁部にそれぞれ配設されるとともに互いに直交する位置関係となるように配設された両配管カバーは、互いに異なる平面に沿うように配設される。
【０００５】
このように互いに異なる平面に沿うように配設された両配管カバーを繋ぐ継手には、例えば特許文献１において開示されるようなものがある。この継手は、一組の半体の組み合わせにより管状とされた略Ｌ字形の屈曲部材と、同様に構成された直管部材とよりなり、屈曲部材と直管部材の一端には、直管部材に対して屈曲部材を複数の向きで連結可能とするための係合部が設けられている。
【特許文献１】特開平９−３０３６６９号公報
【発明の開示】
【発明が解決しようとする課題】
【０００６】
ところで、上記特許文献１の継手は、一組の半体の組み合わせからなる屈曲部材と、同様の直管部材とを組み合わせて構成され、各部材には両半体同士の接続部分が外部から見える状態で存在する。このため、上記継手は、室内の壁部の見栄えを損なう問題があった。
【０００７】
この発明は、このような従来の技術に存在する問題点に着目してなされたものである。その目的は、隣合う両壁部にそれぞれ配設されるとともに互いに隣接する位置関係にある配管カバー同士を両壁部間の角部で接続することができる配管カバーの継手において、見栄えを損ないにくいようにすることにある。
【課題を解決するための手段】
【０００８】
上記の目的を達成するために、請求項１に記載の発明は、壁部の壁面に固定される平板状の第１取付部材と、断面がＵ字状に形成されるとともに同第１取付部材を覆い隠すように同第１取付部材に止着される第１覆い体とからなる第１部材と、前記壁部と隣接する壁部の壁面に固定される平板状の第２取付部材と、断面がＵ字状に形成されるとともに同第２取付部材を覆い隠すように同第２取付部材に止着される第２覆い体とからなる第２部材とを備え、前記第１部材には、前記第１取付部材と前記第１覆い体とにより配管を挿通させるとともに一端を閉塞した通路を形成し、配管を同通路に挿通させる開口部を同第１覆い体の頂部に設け、前記第２部材には、前記第２取付部材と前記第２覆い体とにより配管を挿通させる通路を形成し、前記第２部材を前記開口部に止着させるとともに前記第１部材の通路と第２部材の通路とを同開口部を介して連通させたことを特徴とする。
【０００９】
請求項２に記載の発明は、請求項１に記載の発明において、前記第１取付部材の両側には第１係止部をそれぞれ設け、前記第１覆い体の両側内面には、前記第１係止部に係合する第１係合部をそれぞれ設け、前記第１係止部と第１係合部との係合により前記第１覆い体の両側部の拡開を抑制するように構成し、前記第２取付部材の両側には第２係止部をそれぞれ設け、前記第２覆い体の両側内面には、前記第２係止部に係合する第２係合部をそれぞれ設け、前記第２係止部と第２係合部との係合により前記第２覆い体の両側部の拡開を抑制するように構成したことを特徴とする。
【００１０】
請求項３に記載の発明は、請求項１又は請求項２に記載の発明において、前記第１覆い体には、前記通路の開口端と前記開口部とを連絡する切欠き部を設けるとともに、この切欠き部に着脱される着脱部材を設けたことを特徴とする。
【００１１】
（作用）
請求項１及び請求項２に記載の発明によれば、互いに隣接する両壁部の一方における内壁面上において垂直方向に延長配置された配管及び配管カバーが第１部材の通路に接続され、他方における内壁面上において水平方向に延長配置された配管及び配管カバーが第２部材の通路に接続される。そして、両壁部間で配管が覆われるとともに配管カバー同士が接続される。このとき、第１部材においては、第１取付部材が第１覆い体により外部から覆い隠される。また、第２部材においては、第２取付部材が第２覆い体により外部から覆い隠される。
【００１２】
請求項２に記載の発明によれば、請求項１に記載の発明の作用に加えて、第１覆い体に覆われた配管から第１覆い体の両側部に対して力が加わっても、両側部の拡開変形が防止される。また、第２覆い体に覆われた配管から第２覆い体の両側部に対して力が加わっても、両側部の拡開変形が防止される。このため、見栄えを損ないにくい。
【００１３】
請求項３に記載の発明によれば、請求項１又は請求項２に記載の発明の作用に加えて、第１覆い体の切欠き部から着脱部材を取り外せば、この切欠き部を通じて第１覆い体の開口部に配管を挿通させることができる。このため、壁部の壁面上に配管を設置した後に、壁面上の第１取付部材に第１覆い体を止着させることができるので、設置が容易となる。
【発明の効果】
【００１４】
本発明によれば、隣合う両壁部にそれぞれ配設されるとともに互いに隣接する位置関係にある配管カバー同士を両壁部間の角部で接続することができる配管カバーの継手において、外部から見える部材間の境界部分を少なくして見栄えを損ないにくいようにすることができる。
【発明を実施するための最良の形態】
【００１５】
次に、本発明を具体化した一実施形態を図１〜図７に従って説明する。
図１に示すように、この実施形態の継手４０は、室内において互いに直交するように隣り合う両壁部１の内壁面１ｂに亘って延長配置された配管３を配管カバー１１により覆う際に用いられる。そして、この継手４０は、両壁部１の一方の内壁面１ｂにおいて例えば水平方向に延びるように設置された配管カバー１１と、両壁部１の他方の内壁面１ｂにおいて例えば垂直方向に延びるように設置された別の配管カバー１１とを両壁部１間の角部において接続する。配管カバー１１は周知の構成であり、壁部１の内壁面１ｂ上に固定される長尺状の取付部材１３と、この取付部材１３上に止着される覆い体１４とから構成されている。取付部材１３の底面中央には長手方向に延びる溝１３ａが形成されている。なお、この実施形態の継手４０は、互いに直交するとともに隣り合う壁部と天井との間の角部や、同じく壁部と床との間の角部にも設置することができる。
【００１６】
前記継手４０は、隣り合う両壁部１の一方の内壁面１ｂに取付固定される第１部材４１と、両壁部１の他方の内壁面１ｂに取付固定される第２部材４２とから構成されている。第１部材４１及び第２部材４２は互いに連結固定されている。なお、第１部材４１及び第２部材４２はともに合成樹脂製である。
【００１７】
図２に示すように、第１部材４１は、壁部１の内壁面１ｂに取付固定される第１取付部材４３と、この第１取付部材４３に取付固定される第１覆い体４４とからなる。図３に示すように、前記第１取付部材４３は、平板状に形成され、その両側に設けられた一対の側壁４７の外面には係止凹部４７ａがそれぞれ一対形成されている。また、第１取付部材４３の底部には、ネジ止め用の２つの挿通孔４３ａが形成されている。また、第１取付部材４３の端部中央には突出片４３ｂが形成されている。
【００１８】
そして、第１取付部材４３は、前記壁部１の内壁面１ｂに配管３を延長配置するのに先立って壁部１の内壁面１ｂ上に固定される。このとき、第１取付部材４３は、図１における右側の壁部１の内壁面１ｂ上において垂直方向に延びるように固定された取付部材１３の下端に隣接して壁部１の内壁面１ｂ上に固定される。このとき、第１取付部材４３の突出片４３ｂが取付部材１３の溝１３ａに挿入され、これにより第１取付部材４３が取付部材１３に対して位置決めされる。
【００１９】
図３及び図４に示すように、前記第１覆い体４４は、壁部１の内壁面１ｂに対する取付状態で内壁面１ｂ側に開口する断面ほぼＵ字状に形成されるとともに、その一端側が開口され、その他端側が閉塞されている。また、第１覆い体４４の頂部には、前記第２部材４２との間で配管３を挿通させるための開口部４８が形成されている。開口部４８は、第１覆い体４４の頂部に形成された周壁４８ａにより構成されている。開口部４８の対向する一対の周壁４８ａには、各一対の係止孔４８ｂが互いに離間した２位置に形成されている。また、第１覆い体４４の頂部には、第１覆い体４４の開口端と開口部４８とを連絡する切欠き部５２が設けられ、この切欠き部５２には、着脱部材４４ａが着脱可能に嵌合されている。切欠き部５２の両側には、第１覆い体４４の頂部の内側に位置する支持片５２ａがそれぞれ設けられている。また、周壁４８ｃにおける切欠き部５２の両側には、第１覆い体４４の頂部から底側に向かう方向（図３においても右上から左下に向かう方向）に延びる断面略半円環状の案内部５２ｂがそれぞれ設けられている。一方、着脱部材４４ａは、切欠き部５２に対応したＬ字状に形成され、その両側には、切欠き部５２の案内部５２ｂに係合する断面円柱状の係合部４４ｄがそれぞれ設けられている。そして、着脱部材４４ａの両係合部４４ｄが切欠き部５２の両案内部５２ｂに係合することにより、着脱部材４４ａが切欠き部５２に装着される。このとき、着脱部材４４ａの内面が切欠き部５２の両支持片５２ａに当接することにより、着脱部材４４ａが切欠き部５２内に位置決めされるようになっている。
【００２０】
また、第１覆い体４４の両側部４４ｂの内面には、２つで一組をなす各一対の係合凸部４４ｃが互いに離間した２位置にそれぞれ形成されている。さらに、第１覆い体４４の両側部４４ｂの内面には、第１係合部４９がそれぞれ形成されている。図４に示すように、第１係合部４９は、第１覆い体４４の側部４４ｂの内面に一体形成した断面Ｌ字形の突条により形成されている。第１係合部４９と第１覆い体４４の側部４４ｂの内側面との間には、第１覆い体４４の閉塞部側に向かって開口する間隙４９ａが形成されている。
【００２１】
そして、壁部１の内壁面１ｂに固定された第１取付部材４３の各係止凹部４７ａに、第１覆い体４４の各係合凸部４４ｃをそれぞれ係合させることにより、第１覆い体４４が第１取付部材４３に対して止着されるようになっている。これにより、第１部材４１内に、開口部４８を通じて配管３が挿通し、配管３を挿通させるための通路が形成される。このとき、図２に示すように、第１取付部材４３の各側壁４７の側端部が、間隙４９ａ内に入り込んで第１覆い体４４の各第１係合部４９にそれぞれ係合するようになっている。また、図１及び図２に示すように、第１覆い体４４の両側部４４ｂが第１取付部材４３を覆い、第１取付部材４３を外部から覆い隠すようになっている。
【００２２】
図２に示すように、前記第２部材４２は、壁部１の内壁面１ｂに取付固定される第２取付部材４５と、この第２取付部材４５に取付固定される第２覆い体４６とからなる。図３に示すように、第２取付部材４５は、平板状に形成され、その両側に設けられた一対の側壁５０の外面には係止凹部５０ａがそれぞれ形成されている。また、第２取付部材４５の底部には、ネジ止め用の挿通孔４５ａが形成されている。また、第２取付部材４５の底面上には、互いに離間した一対の係合突起４５ｂが形成されている。さらに、第２取付部材４５の端部中央には突出片４５ｃが形成されている。
【００２３】
そして、第２取付部材４５は、図１における左側の壁部１の内壁面１ｂ上において水平方向に延びるように固定された取付部材１３の右端に隣接して壁部１の内壁面１ｂ上に固定される。このとき、第２取付部材４５の突出片４５ｃが、取付部材１３の溝１３ａに挿入され、これにより第２取付部材４５が取付部材１３に対して位置決めされる。
【００２４】
図３及び図５に示すように、前記第２覆い体４６は、壁部１の内壁面１ｂに対する取付状態で内壁面１ｂ側に開口するように、断面ほぼＵ字状に形成されている。第２覆い体４６の両側部４６ａの内面には、２つで一組をなす各一対の係合凸部４６ｂがそれぞれ形成されるとともに、中央部内面には互いに離間した一組の係合突起４６ｃが形成されている。また、第２覆い体４６の両側部４６ａの内面には、第２係合部５１がそれぞれ形成されている。図５に示すように、第２係合部５１は、第２覆い体４６の側部４６ａの内面に一体形成した断面Ｌ字形の突条により形成されている。第２係合部５１と第２覆い体４６の側部４６ａの内側面との間には、前記係合突起４６ｃ側に向かって開口する間隙５１ａが形成されている。
【００２５】
そして、第２覆い体４６の各係合凸部４６ｂを、壁部１の内壁面１ｂに固定された第２取付部材４５の各係止凹部５０ａにそれぞれ係合させることにより、第２覆い体４６が第２取付部材４５に対して止着されるようになっている。これにより、第２部材４２内に、第１部材４１の開口部４８に連通し、配管３を挿通させるための通路が形成される。このとき、図２及び図６に示すように、第２取付部材４５の各側壁５０の側端部が、間隙５１ａ内に入り込んで第２覆い体４６の各第２係合部５１にそれぞれ係合するようになっている。また、図１及び図２に示すように、第２覆い体４６の両側部４６ａが第２取付部材４５を覆い、第２取付部材４５を外部から覆い隠すようになっている。
【００２６】
また、第２部材４２の係合突起４６ｃ及び係合突起４５ｂが第１部材４１の開口部４８の係止孔４８ｂにそれぞれ係合することにより、第２部材４２が第１部材４１の開口部４８に止着されるようになっている。第１部材４１及び第２部材４２は、それぞれ両側間の中央に位置する対称面に対して面対称に形成されており、図２に二点鎖線で示すように、第２部材４２の向きを１８０°変えた状態で第１部材４１に第２部材４２を止着することもできるようになっている。すなわち、図１における左側の壁部１の内壁面１ｂに第１部材４１を配置し、右側の壁部１の内壁面１ｂに第２部材４２を配置することもできるようになっている。そして、第２部材４２が第１部材４１に止着されると、第２部材４２の通路が第１部材４１の開口部４８に連通されるようになっている。
【００２７】
次に、以上のように構成された継手４０の作用について説明する。
この実施形態の継手４０を設置するには、まず、例えば図１において配管３が垂直方向に延長配置される側の壁部１の内壁面１ｂに配管カバー１１の取付部材１３を固定した後、第１取付部材４３を取付部材１３の下側に固定する。次に、図１において配管３が水平方向に延長配置される側の壁部１の内壁面１ｂに配管カバー１１の取付部材１３を固定した後、第２取付部材４５を取付部材１３の右側に固定する。次に、両壁部１の内壁面１ｂ上の各取付部材１３に沿って配管３を配設した後、各取付部材１３にそれぞれ覆い体１４を止着させる。
【００２８】
次に、着脱部材４４ａを取り外した状態の第１覆い体４４を、内壁面１ｂ上の第１取付部材４３に止着させる。このとき、両壁部１の内壁面１ｂ上に配設されている配管３を、着脱部材４４ａを取り外した切欠き部５２から第１覆い体４４の開口部４８内に導入する。また、第１覆い体４４における第２取付部材４５側の係止孔４８ｂを、第２取付部材４５の係合突起４５ｂに係合させる。この後に、着脱部材４４ａを第１覆い体４４の切欠き部５２に嵌合させる。次に、内壁面１ｂ上の第２取付部材４５に第２覆い体４６を止着させるとともに第２覆い体４６の係合突起４６ｃを第１覆い体４４の係止孔４８ｂに係合させる。以上の手順により、両壁部１の内壁面１ｂ上に、配管３が配設されるとともに配管カバー１１及び継手４０が設置される。
【００２９】
そして、この実施形態によれば、隣り合う両壁部１の一方の内壁面１ｂ上に固定される第１部材４１において、内壁面１ｂに固定される第１取付部材４３と、この第１取付部材４３に止着される第１覆い体４４との境界部分が第１覆い体４４により外部から覆い隠される。また、他方の壁部１の内壁面１ｂ上に固定される第２部材４２において、内壁面１ｂに固定される第２取付部材４５と、この第２取付部材４５に止着される第２覆い体４６との境界部分が第２覆い体４６により外部から覆い隠される。従って、外部から見える部材間の境界部分を少なくして見栄えを損なわないようにすることができる。
【００３０】
また、この実施形態によれば、配管３による第１部材４１及び第２部材４２の変形を抑制し、継手４０の見栄えが悪くならないようにすることができる。すなわち、第１部材４１が配管３全体の太さに対して十分に太くない場合には、図７に示すように、第１覆い体４４の両側部４４ｂに対して配管３から矢印Ｐ，Ｑで示す向きの力が加えられることがある。ここで、第１取付部材４３の各側壁４７の側端部が間隙４９ａ内に入り込んで第１覆い体４４の各第１係合部４９にそれぞれ係合していることにより、図７に二点鎖線で示すような第１覆い体４４の両側部４４ｂの拡開変形が防止される。また、第２部材４２においても、第１部材４１と同様に、第２取付部材４５の各側壁５０の側端部が間隙５１ａ内に入り込んで第２覆い体４６の各第２係合部５１に係合していることにより、第２覆い体４６の両側部４６ａの拡開変形が防止される。
【００３１】
さらに、この実施形態によれば、第１覆い体４４に設けた切欠き部５２に着脱部材４４ａを嵌合させることにより、施工時には着脱部材４４ａを切欠き部５２から取り外し、切欠き部５２を通じて開口部４８に配管３を挿通できるようにした。このため、壁部１の内壁面１ｂに配管３を設置した後に、内壁面１ｂ上の第１取付部材４３に第１覆い体４４を止着させることができるので、継手４０の設置が容易となる。しかも、第１覆い体４４の切欠き部５２に対し、第１覆い体４４の頂部から第１取付部材４３側に向かう方向に着脱部材４４ａを着脱できるようにした。このため、第１覆い体４４の開口端が配管カバー１１の覆い体１４に重なっている状態で、第１覆い体４４の切欠き部５２に対して容易に着脱することができる。
【００３２】
なお、前記実施形態では、各係合部４９，５１を各覆い体４４，４６の頂部側に延びるように形成したが、図４及び図５において網掛けで示す各係合部４９，５１の部位をなくしてもよい。
【００３３】
また、前記実施形態では、配管３を壁部１の内壁面１ｂ上に沿わせる場合について説明したが、外壁面に沿わせる場合に、この実施形態の継手４０を用いてもよい。
【図面の簡単な説明】
【００３４】
【図１】一実施形態の配管カバー部材を用いた配管カバーの要部を示す斜視図。
【図２】配管カバー部材を示す斜視図。
【図３】配管カバー部材を示す分解斜視図。
【図４】第１覆い部を示す斜視図。
【図５】第２覆い部を示す斜視図。
【図６】第２部材の要部を示す側面図。
【図７】第２部材の要部を示す横断面図。
【符号の説明】
【００３５】
１…壁部、１ｂ…壁面としての内壁面、３…配管、１１…配管カバー、４０…継手、４１…継手を構成する第１部材、４２…同じく第２部材、４３…第１取付部材、４４…第１覆い体、４４ａ…着脱部材、４４ｂ…側部、４５…第２取付部材、４６…第２覆い体、４６ａ…側部、４７…第１係止部としての側壁、４８…開口部、４９…第１係合部、５０…第２係止部としての側壁、５１…第２係合部、５２…切欠き部。
【図１】
2006207782.tif 000003
【図２】
2006207782.tif 000004
【図３】
2006207782.tif 000005
【図４】
2006207782.tif 000006
【図５】
2006207782.tif 000007
【図６】
2006207782.tif 000008
【図７】
2006207782.tif 000009